(57)【要約】      （修正有）【課題】極めて簡単な構造により、プラスチックシートを張った農業用ハウスでもフレーム強度を増大させて、積雪に対する強度を増して倒壊を少なくすると共に、冬季以外の季節には、ハウス内での作業も容易な農業用ハウスの補強構造を提供する。【解決手段】屋根がパイプ２のトラス構造で形成された農業用ハウスにおいて、屋根の吊り柱１０の下端を梁パイプ１１より下方に突出させ、ベース板１６の上にパイプ受け部１７を設けた支柱下部受け部材１５を、ハウス内の地面１４の上に着脱自在に設置し、この支柱下部受け部材１５にパイプで形成された補強支柱１９の下端部を係脱自在に挿着して固定すると共に、補強支柱１９の上端に吊り柱１０の下端を挿着する。【選択図】図４
0003205158.tif 000002
【実用新案登録請求の範囲】
【請求項１】
屋根がパイプのトラス構造で形成された農業用ハウスにおいて、屋根の吊り柱の下端を梁パイプより下方に突出させるか、または支柱上部受け部材を梁パイプの底面に設けると共に、ベース板の上にパイプ受け部を設けた支柱下部受け部材を、ハウス内の地面の上に着脱自在に設置し、この支柱下部受け部材にパイプで形成された補強支柱の下端部を係脱自在に挿着して固定するすると共に、補強支柱の上端に吊り柱の下端を挿着するか、または支柱上部受けブラケットに挿着することを特徴とする農業用ハウスの補強構造。
【請求項２】
支柱下部受け部材を形成するパイプ受け部の内径が、補強支柱の外径より大きく形成され、更にこの補強支柱の内径が、吊り柱の外径より大きく形成されていることを特徴とする請求項１記載の農業用ハウスの補強構造。
【請求項３】
支柱下部受け部材を形成するパイプ受け部の内径が、補強支柱の外径より大きく形成され、更にこの補強支柱の外径が、支柱上部受け部材を形成するパイプ受け部の内径より小さいか、または補強支柱の内径が、支柱上部受け部材のパイプ受け部の外径より大きく形成されていることを特徴とする請求項１記載の農業用ハウスの補強構造。
【請求項４】
支柱下部受け部材に設けたパイプ受け部の長さが、梁パイプより下方に突出した吊り柱の下端の長さより、または支柱上部受け部材のパイプ受け部の長さより、長く形成したことを特徴とする請求項１記載の農業用ハウスの補強構造。
【考案の詳細な説明】
【技術分野】
【０００１】
本考案は、農業用ハウスの補強構造に関するものである。
【背景技術】
【０００２】
一般に農業用ハウスでは、野菜や果実、花卉などを栽培しているが、大量の雪が降り積もると雪の重みにより倒壊することがある。特に透明なプラスチックシートを張った農業用ハウスのフレームはパイプで構成されたものが多く、全体の支持強度が比較的弱い問題がある。
【０００３】
このため農業用ハウスの屋根に散水装置を設け、降雪時に散水して融雪し、流れ出た融水をハウスの雨樋に流す構造（特許文献１）がある。しかしながらこの構造では、プラスチックシートを張った農業用ハウスに適用しようとすると、散水装置を屋根に取付けなければならず、フレーム強度の弱いハウスには取り付けられなかった。
【０００４】
また温室ハウスの屋根を２枚の透明板材で空間部を形成し、この空間内に熱水供給系を配置して、熱水を循環させて屋根を加熱し、屋根に積もった雪を融雪する装置（特許文献２）もある。しかしながらこの構造もフレーム強度の弱いハウスには取付けられず、また熱水供給系を設けるため設備費が高価になる問題があった。
【先行技術文献】
【特許文献】
【０００５】
【特許文献１】特開２０００−２４５２６８
【特許文献２】実用新案３１２９３２８号
【考案の開示】
【考案が解決しようとする課題】
【０００６】
本考案は、極めて簡単な構造により、フレーム強度の弱いプラスチックシートを張った農業用ハウスでもフレーム強度を増大させて、積雪に対する強度を増して倒壊を少なくすると共に、ハウス内での作業も容易な農業用ハウスの補強構造を提供するものである。                  
【課題を解決するための手段】
【０００７】
本考案の請求項１記載の農業用ハウスの補強構造は、屋根がパイプのトラス構造で形成された農業用ハウスにおいて、屋根の吊り柱の下端を梁パイプより下方に突出させるか、または支柱上部受け部材を梁パイプの底面に設けると共に、ベース板の上にパイプ受け部を設けた支柱下部受け部材を、ハウス内の地面の上に着脱自在に設置し、この支柱下部受け部材にパイプで形成された補強支柱の下端部を係脱自在に挿着して固定すると共に、補強支柱の上端に吊り柱の下端を挿着するか、または支柱上部受けブラケットに挿着することを特徴とするものである。
【０００８】
本考案の請求項２記載の農業用ハウスの補強構造は、請求項１において、支柱下部受け部材を形成するパイプ受け部の内径が、補強支柱の外径より大きく形成され、更にこの補強支柱の内径が、吊り柱の外径より大きく形成されていることを特徴とするものである。
【０００９】
本考案の請求項３記載の農業用ハウスの補強構造は、請求項１において、支柱下部受け部材を形成するパイプ受け部の内径が、補強支柱の外径より大きく形成され、更にこの補強支柱の外径が、支柱上部受け部材を形成するパイプ受け部の内径より小さいか、または補強支柱の内径が、支柱上部受け部材のパイプ受け部の外径より大きく形成されていることを特徴とするものである。
【００１０】
本考案の請求項４記載の農業用ハウスの補強構造は、請求項１において、支柱下部受け部材に設けたパイプ受け部の長さが、梁パイプより下方に突出した吊り柱の下端の長さより、または支柱上部受け部材のパイプ受け部の長さより、長く形成したことを特徴とするものである。
【考案の効果】
【００１１】
本考案に係る請求項１記載の農業用ハウスの補強構造によれば、極めて簡単な構造により、フレーム強度の弱いプラスチックシートを張った農業用ハウスでもフレーム強度を増大させて、従来、雪の重みにより潰されていた被害を大幅に低減させることができると共に、補強支柱と支柱下部受け部材を撤去すれば、従来と同様に広く使用できるので耕作の妨げにならない。
【００１２】
また請求項２記載の農業用ハウスの補強構造によれば、補強支柱の上端が、梁パイプの底面に当接して屋根を支持することができる。
【００１３】
また請求項３記載の農業用ハウスの補強構造によれば、補強支柱の上端側が支柱上部受け部材のパイプ受け部の内側または外側に挿着された構造なので、既設の農業用ハウスに取付けて屋根を支持することができ、安価な費用でハウスの強度を向上させることができる。
【００１４】
また請求項４記載の農業用ハウスの補強構造によれば、補強支柱を傾けて、その下端側をパイプ受け部に挿着して、垂直に立ててから、持ち上げることにより上端部に、吊り柱の下端を挿着するか、または支柱上部受けブラケットに挿着して、屋根を確実に支持することができる。
【図面の簡単な説明】
【００１５】
【図１】本考案の実施の一形態による農業用ハウスの断面図である。
【図２】図１の吊り柱と梁パイプの接続部分を示す斜視図である。
【図３】本考案の実施の一形態による農業用ハウスの補強構造の断面図である。
【図４】図３の補強支柱の支持部分を拡大して示す断面図である。
【図５】本考案の他の実施の形態による農業用ハウスの補強構造の要部断面図である。
【図６】本考案の異なる他の実施の形態による農業用ハウスの補強構造の要部断面図である。
【考案を実施するための最良の形態】
【００１６】
以下本考案の実施の一形態を図１ないし図４を参照して詳細に説明する。図において１は農業用ハウスで、パイプ２で支柱３と、パイプ２を三角形に組合わせたトラス構造４の屋根５とでフレーム６が構成されている。更にこのフレーム６の表面側にフッソ樹脂フイルムなどのプラスチックシート８が取付けられている。
【００１７】
更に前記トラス構造４の屋根５は、棟の中心から下がっている吊り柱１０が、梁パイプ１１より下方に突出している。吊り柱１０と梁パイプ１１は図２に示すように、コ字形の連結ブラケット１２で連結されている。
【００１８】
また冬季には図３に示すように、ハウス内の吊り柱１０の下方の地面１４には、支柱下部受け部材１５が着脱自在に設置されている。この支柱下部受け部材１５はベース板１６の上に、パイプ２で形成されたパイプ受け部１７を接合して形成されている。１９はパイプ２で形成された補強支柱である。この補強支柱１９の下端部は図４に示すように支柱下部受け部材１５のパイプ受け部１７内に係脱自在に挿着され、上端部は吊り柱１０の下端が係脱自在に挿着され、梁パイプ１１の底面に当接している。この農業用ハウス１は、例えば幅が６ｍ程度で、吊り柱１０が２．５〜３ｍピッチで設けられている。
【００１９】
更にパイプ２で形成された補強支柱１９の下端側には貫通孔２０Ａが開孔され、これと対向する位置のパイプ受け部１７にも貫通孔２０Ｂが開孔され、この貫通孔２０Ａ、２０Ｂを貫通してボルト２１で補強支柱１９が支柱下部受け部材１５に連結・固定されている。
【００２０】
この場合、パイプ受け部１７の内径Ｄ１が、補強支柱１９の外径Ｄ２より大きく形成され、更にこの補強支柱１９の内径Ｄ３が、吊り柱１０の外径Ｄ４より大きく形成されている。
【００２１】
更に支柱下部受け部材１５に設けたパイプ受け部１７の長さＬ１が、梁パイプ１１より下方に突出した吊り柱１０の下端の長さＬ２より、長く形成されている。
【００２２】
上記構成の農業用ハウスの補強構造は、降雪時以外の季節には図１に示すように補強支柱１９と支柱下部受け部材１５を取外した状態で耕作する。降雪の季節になったら、図３に示すように、ハウス内の吊り柱１０の下方の地面１４に、支柱下部受け部材１５を設置する。次に図４に示すように補強支柱１９の下端側をパイプ受け部１７に挿入する。
【００２３】
この後、補強支柱１９を持ち上げて、上端部に吊り柱１０の下端を挿入して、梁パイプ１１の底面に当接させる。このようにパイプ受け部１７の長さＬ１が、梁パイプ１１より下方に突出した吊り柱１０の下端の長さＬ２より長く形成されているので、先に補強支柱１９を傾けて、その下端側をパイプ受け部１７に挿着して、垂直に立ててから、持ち上げることにより上端部に吊り柱１０の下端を挿入することができる。
【００２４】
この後、補強支柱１９の下端側の貫通孔２０Ａと、これと対向する位置のパイプ受け部１７の貫通孔２０Ｂを合わせてボルト２１を貫通させてナット２２で締め付け固定する。
【００２５】
この結果、農業用ハウス１の中央部分に補強支柱１９が取付けられるので、ハウス強度が３０％以上も向上し、従来、雪の重みにより潰されていた被害を大幅に低減させることができる。また冬季以外の季節には、補強支柱１９と支柱下部受け部材１５を撤去すれば、従来と同様に広く使用できるので耕作の妨げにならない。
【００２６】
図５は本考案の他の実施の形態を示すもので、吊り柱１０の下端が梁パイプ１１に連結ブラケット１２で接続され、吊り柱１０の下端が梁パイプ１１の下方に突出していない既存の屋根５である。梁パイプ１１の底面には、ベース板１６の底面に、パイプ２で形成されたパイプ受け部１７を接合した支柱上部受け部材２４が取付けられている。このパイプ受け部１７の内径Ｄ５は、補強支柱１９の外径Ｄ２より大きく形成されている。
【００２７】
この構造では、補強支柱１９の上端側がパイプ受け部１７の内側に挿着された構造で、既設の農業用ハウス１に取付けることができ、安価な費用でハウスの強度を向上させることができる。
【００２８】
図６は本考案の他の異なる実施の形態を示すもので、梁パイプ１１の底面には、ベース板１６の底面に、パイプ２で形成されたパイプ受け部１７を接合した支柱上部受け部材２４が取付けられている。このパイプ受け部１７の外径Ｄ６は、補強支柱１９の内径Ｄ３より小さく形成されている。
【００２９】
なお上記説明では、フレーム６の表面側にプラスチックシート８を取付けた農業用ハウス１について適用した場合について示したが、ガラス製のハウスにも適用することができる。
【符号の説明】
【００３０】
１    農業用ハウス                                          
２    パイプ                                                
３    支柱                                                  
４    トラス構造                                            
５    屋根                                                  
６    フレーム                                              
８    プラスチックシート                                    
１０  吊り柱                                                
１１  梁パイプ                                              
１２  連結ブラケット                                        
１４  地面                                                  
１５  支柱下部受け部材                                      
１６  ベース板                                              
１７  パイプ受け部                                          
１９  補強支柱                                              
２０Ａ、２０Ｂ  貫通孔              
２１  ボルト                                                
２２  ナット                                                
２４  支柱上部受け部材                                      
【図１】
0003205158.tif 000003
【図２】
0003205158.tif 000004
【図３】
0003205158.tif 000005
【図４】
0003205158.tif 000006
【図５】
0003205158.tif 000007
【図６】
0003205158.tif 000008